(57)【要約】【課題】  弱電界地域で受信する場合には、受信感度を向上させるという本来の目的を達成しつつ、強電界地域では歪みを低減して受信エラーを無くす。【解決手段】  アンテナ２１及びアンテナ２１に結合された増幅器２２を有する複数のアンテナブロック２０と、チューナ４１及びチューナ４１に接続されたＯＦＤＭ復調器４２を有して各アンテナブロック２０の出力側にそれぞれ接続される複数のチューナ部４０と、各チューナ部４０から出力される復調信号を合成する合成部６０とを備え、受信信号レベルが所定値以上になったときにのみ少なくとも１つのアンテナブロック２０ａの増幅器２２ａに入力される受信信号のレベルを下げるかまたは０とし、少なくとも他の１つのアンテナブロック２０ｂの増幅器３３ｂには受信信号のレベルの変化に関わらず受信信号のレベルを変えることなく入力した。【選択図】        図１
2006186711.tif 000002
【特許請求の範囲】
【請求項１】
アンテナ及び前記アンテナに結合された増幅器を有する複数のアンテナブロックと、チューナ及び前記チューナに接続されたＯＦＤＭ復調器を有して前記各アンテナブロックの出力側にそれぞれ接続される複数のチューナ部と、前記各チューナ部から出力される復調信号を合成する合成部とを備え、受信信号レベルが所定値以上になったときにのみ少なくとも１つの前記アンテナブロックの増幅器に入力される受信信号のレベルを下げるかまたは０とし、少なくとも他の１つの前記アンテナブロックの増幅器には前記受信信号のレベルの変化に関わらず前記受信信号のレベルを変えることなく入力したことを特徴とするダイバーシティ受信装置。
【請求項２】
前記少なくとも１つのアンテナブロックには前記増幅器の前段に可変減衰器を設け、前記少なくとも１つのアンテナブロックに接続される前記チューナ部には前記受信信号のレベルが前記所定値以上の範囲で電圧が変化するＡＧＣ電圧を発生するための発生回路を設け、前記ＡＧＣ電圧によって前記可変減衰器の減衰量を制御したことを特徴とする請求項１に記載のダイバーシティ受信装置。
【請求項３】
前記各アンテナブロックから出力される前記受信信号を第１のケーブルを介して前記チューナ部に入力し、前記ＡＧＣ電圧を第２のケーブルを介して前記可変減衰器に入力し、前記チューナ部には前記第１のケーブルに電源電圧を重畳する電源供給手段を設け、前記増幅器には前記第１のケーブルから前記電源電圧を供給したことを特徴とする請求項２に記載のダイバーシティ受信装置。
【請求項４】
前記少なくとも１つのアンテナブロックの増幅器には該増幅器を迂回するためのバイパス回路を並設し、受信信号のレベルが前記所定値以上の時にのみ前記受信信号を前記少なくとも１つのアンテナブロックの増幅器に入力せずに前記バイパス回路を介して出力したことを特徴とする請求項１に記載のダイバーシティ受信装置。
【請求項５】
前記少なくとも１つのアンテナブロックには、前記アンテナと前記増幅器との間に介挿されたスイッチダイオードを設けると共に、前記バイパス回路をスイッチ手段で構成して前記スイッチ手段を前記スイッチダイオードの入力側と前記増幅器の出力端との間に接続し、前記受信信号のレベルが前記所定値以上の時に前記スイッチダイオードをオフにすると共に前記スイッチ手段をオンにしたことを特徴とする請求項４に記載のダイバーシティ受信装置。
【請求項６】
前記各アンテナブロックから出力される前記受信信号をそれぞれ第１のケーブルを介して前記各チューナ部に入力し、前記各チューナ部には前記第１のケーブルに電源電圧を供給する電源供給手段を設けると共に、前記各増幅器には前記各ケーブルを介して前記電源電圧を供給し、前記少なくとも１つのアンテナブロックに接続される前記チューナ部には前記受信信号のレベルが前記所定値以上のときに前記電源供給手段による前記第１のケーブルへの前記電源電圧の供給を停止し、前記電源電圧の供給停止によって前記スイッチダイオードをオフにすると共に前記スイッチ手段をオンにしたことを特徴とする請求項５に記載のダイバーシティ受信装置。
【請求項７】
前記スイッチ手段をＦＥＴで構成し、前記スイッチダイオードのアノードを前記増幅器の入力端に結合すると共に、カソードを前記アンテナに結合し、前記ＦＥＴのソースを前記スイッチダイオードのカソードに接続すると共にバイアス抵抗を介して接地し、前記ＦＥＴのゲートを接地すると共にドレインを前記増幅器の出力端に結合したことを特徴とする請求項６に記載のダイバーシチ受信装置。
【請求項８】
前記少なくとも１つのアンテナブロックに接続される前記チューナ部には前記受信信号のレベルを検出する検波器と、前記所定値を示す基準電圧が一方の入力端に入力され、他方の入力端に前記検波器からの検波電圧が入力される比較回路とを設け、前記電源供給手段は電源にコレクタが接続され、エミッタが前記第１のケーブルに接続されたトランジスタで構成され、前記トランジスタのベースを前記比較回路の出力端に接続したことを特徴とする請求項７に記載のダイバーティ受信装置。
【発明の詳細な説明】
【技術分野】
【０００１】
本発明は、車載用テレビや携帯用テレビのように、移動しながら受信するのに好適なダイバーシティ受信装置に関する。
【背景技術】
【０００２】
図４を参照して従来のダイバーシティ受信装置を説明する。受信空中戦１、５により受信された同一周波数ＯＦＤＭ方式の高周波信号は、受信高周波部２、６によりそれぞれ増幅され、混合器３、７に入力される。混合器３、７には局部発振器４、８から互いに異なるが近接した周波数の局部発振信号が与えられる。このため、混合器３、７からは互いに異なり、かつ近接した周波数の中間周波信号が出力される。各混合器３、７から出力される中間周波信号は合成器９において合成される。合成器９の出力からは同期回路１０により受信装置内で使用されるクロックが再生されると共に、Ａ／Ｄ変換器１１によりデジタル信号が得られる。
【０００３】
デジタル信号はＦＦＴ１２によりＯＦＤＭ信号を構成する各周波数の搬送波に対応した信号に変換され、合成回路１３においてダイバーシティ合成され、搬送波復調回路１４において各搬送波ごとに復調され、誤り訂正回路１５による誤り訂正処理が施された後、デジタルの出力データとして出力される（例えば、特許文献１参照。）。
【０００４】
【特許文献１】特開２０００−０４１０２０号公報（図１）
【発明の開示】
【発明が解決しようとする課題】
【０００５】
移動体に搭載した受信装置でテレビジョン信号等を受信する場合には、移動に伴なう電界強度の変化の範囲が大きく、例えば、＋１０ｄＢｍから−９０ｄＢｍまで変化する場合がある。このため、地上デジタルテレビジョン信号のような多数のキャリアを有するＯＦＤＭ変調された信号を強電界地域で受信すると、受信高周波部内に設けられた増幅器が歪み、それによってＣ／Ｎが劣化して受信エラーが発生するという問題がある。
【０００６】
本発明は、弱電界地域で受信する場合には、受信感度を向上させるという本来の目的を達成しつつ、強電界地域では歪みを低減して受信エラーを無くすことを目的とする。
【課題を解決するための手段】
【０００７】
上記課題に対する第１の解決手段として、アンテナ及び前記アンテナに結合された増幅器を有する複数のアンテナブロックと、チューナ及び前記チューナに接続されたＯＦＤＭ復調器を有して前記各アンテナブロックの出力側にそれぞれ接続される複数のチューナ部と、前記各チューナ部から出力される復調信号を合成する合成部とを備え、受信信号レベルが所定値以上になったときにのみ少なくとも１つの前記アンテナブロックの増幅器に入力される受信信号のレベルを下げるかまたは０とし、少なくとも他の１つの前記アンテナブロックの増幅器には前記受信信号のレベルの変化に関わらず前記受信信号のレベルを変えることなく入力した。
【０００８】
また、第２の解決手段として、前記少なくとも１つのアンテナブロックには前記増幅器の前段に可変減衰器を設け、前記少なくとも１つのアンテナブロックに接続される前記チューナ部には前記受信信号のレベルが前記所定値以上の範囲で電圧が変化するＡＧＣ電圧を発生するための発生回路を設け、前記ＡＧＣ電圧によって前記可変減衰器の減衰量を制御した。
【０００９】
また、第３の解決手段として、前記各アンテナブロックから出力される前記受信信号を第１のケーブルを介して前記チューナ部に入力し、前記ＡＧＣ電圧を第２のケーブルを介して前記可変減衰器に入力し、前記チューナ部には前記第１のケーブルに電源電圧を重畳する電源供給手段を設け、前記増幅器には前記第１のケーブルから前記電源電圧を供給した。
【００１０】
また、第４の解決手段として、前記少なくとも１つのアンテナブロックの増幅器には該増幅器を迂回するためのバイパス回路を並設し、受信信号のレベルが前記所定値以上の時にのみ前記受信信号を前記少なくとも１つのアンテナブロックの増幅器に入力せずに前記バイパス回路を介して出力した。
【００１１】
また、第５の解決手段として、前記少なくとも１つのアンテナブロックには、前記アンテナと前記増幅器との間に介挿されたスイッチダイオードを設けると共に、前記バイパス回路をスイッチ手段で構成して前記スイッチ手段を前記スイッチダイオードの入力側と前記増幅器の出力端との間に接続し、前記受信信号のレベルが前記所定値以上の時に前記スイッチダイオードをオフにすると共に前記スイッチ手段をオンにした。
【００１２】
また、第６の解決手段として、前記各アンテナブロックから出力される前記受信信号をそれぞれ第１のケーブルを介して前記各チューナ部に入力し、前記各チューナ部には前記第１のケーブルに電源電圧を供給する電源供給手段を設けると共に、前記各増幅器には前記各ケーブルを介して前記電源電圧を供給し、前記少なくとも１つのアンテナブロックに接続される前記チューナ部には前記受信信号のレベルが前記所定値以上のときに前記電源供給手段による前記第１のケーブルへの前記電源電圧の供給を停止し、前記電源電圧の供給停止によって前記スイッチダイオードをオフにすると共に前記スイッチ手段をオンにした。
【００１３】
また、第７の解決手段として、前記スイッチ手段をＦＥＴで構成し、前記スイッチダイオードのアノードを前記増幅器の入力端に結合すると共に、カソードを前記アンテナに結合し、前記ＦＥＴのソースを前記スイッチダイオードのカソードに接続すると共にバイアス抵抗を介して接地し、前記ＦＥＴのゲートを接地すると共にドレインを前記増幅器の出力端に結合した。
【００１４】
また、第８の解決手段として、前記少なくとも１つのアンテナブロックに接続される前記チューナ部には前記受信信号のレベルを検出する検波器と、前記所定値を示す基準電圧が一方の入力端に入力され、他方の入力端に前記検波器からの検波電圧が入力される比較回路とを設け、前記電源供給手段は電源にコレクタが接続され、エミッタが前記第１のケーブルに接続されたトランジスタで構成され、前記トランジスタのベースを前記比較回路の出力端に接続した。
【発明の効果】
【００１５】
第１の解決手段によれば、アンテナ及びアンテナに結合された増幅器を有する複数のアンテナブロックと、チューナ及びチューナに接続されたＯＦＤＭ復調器を有して各アンテナブロックの出力側にそれぞれ接続される複数のチューナ部と、各チューナ部から出力される復調信号を合成する合成部とを備え、受信信号レベルが所定値以上になったときにのみ少なくとも１つのアンテナブロックの増幅器に入力される受信信号のレベルを下げるかまたは０とし、少なくとも他の１つのアンテナブロックの増幅器には受信信号のレベルの変化に関わらず受信信号のレベルを変えることなく入力したので、弱電界のときには受信信号が増幅器よって増幅されてチューナに入力されるので受信感度が向上する。また、強電界の時には、少なくとも１つのアンテナブロックの増幅器で発生する歪みが押さえられるのでチューナではＣ／Ｎが悪化せず、復調段階以降での受信エラーが発生しない。また、少なくとも他の１つのアンテナブロックは電界強度の大きさの如何に関わらず常に信号を受信しているので、電界強度が弱くなってもＯＦＤＭ復調後の合成段階で同期が外れることがない。
【００１６】
また、第２の解決手段によれば、少なくとも１つのアンテナブロックには増幅器の前段に可変減衰器を設け、少なくとも１つのアンテナブロックに接続されるチューナ部には受信信号のレベルが所定値以上の範囲で電圧が変化するＡＧＣ電圧を発生するための発生回路を設け、ＡＧＣ電圧によって可変減衰器の減衰量を制御したので、増幅器に入力される受信信号のレベルが下がる。
【００１７】
また、第３の解決手段によれば、各アンテナブロックから出力される受信信号を第１のケーブルを介してチューナ部に入力し、ＡＧＣ電圧を第２のケーブルを介して可変減衰器に入力し、チューナ部には第１のケーブルに電源電圧を重畳する電源供給手段を設け、増幅器には第１のケーブルから電源電圧を供給したので、アンテナブロックをチューナ部から離れて車輌のフロントガラス等に取り付けた場合にもアンテナブロックに独立した電源を設ける必要がない。
【００１８】
また、第４の解決手段によれば、少なくとも１つのアンテナブロックの増幅器には該増幅器を迂回するためのバイパス回路を並設し、受信信号のレベルが所定値以上の時にのみ受信信号を少なくとも１つのアンテナブロックの増幅器に入力せずにバイパス回路を介して出力したので、少なくとも１つのアンテナブロックの増幅器には受信信号が入力されない。
【００１９】
また、第５の解決手段によれば、少なくとも１つのアンテナブロックには、アンテナと増幅器との間に介挿されたスイッチダイオードを設けると共に、バイパス回路をスイッチ手段で構成してこのスイッチ手段をスイッチダイオードの入力側と増幅器の出力端との間に接続し、受信信号のレベルが所定値以上の時にスイッチダイオードをオフにすると共にスイッチ手段をオンにしたので、受信信号をバイパス回路を介して出力できる。
【００２０】
また、第６の解決手段によれば、各アンテナブロックから出力される受信信号をそれぞれ第１のケーブルを介して各チューナ部に入力し、各チューナ部には第１のケーブルに電源電圧を供給する電源供給手段を設けると共に、各増幅器には各ケーブルを介して電源電圧を供給し、少なくとも１つのアンテナブロックに接続されるチューナ部には受信信号のレベルが所定値以上のときに電源供給手段による第１のケーブルへの電源電圧の供給を停止し、電源電圧の供給停止によってスイッチダイオードをオフにすると共に記スイッチ手段をオンにしたので、アンテナブロックをチューナ部から離れて車輌のフロントガラス等に取り付けた場合にもアンテナブロックに独立した電源を設ける必要がない。
【００２１】
また、第７の解決手段によれば、スイッチ手段をＦＥＴで構成し、スイッチダイオードのアノードを増幅器の入力端に結合すると共に、カソードをアンテナに結合し、ＦＥＴのソースをスイッチダイオードのカソードに接続すると共にバイアス抵抗を介して接地し、ＦＥＴのゲートを接地すると共にドレインを増幅器の出力端に結合したので、電源供給の停止によってスイッチダイオードをオフにすると共に記スイッチ手段をオンにすることができる。
【００２２】
また、第８の解決手段によれば、少なくとも１つのアンテナブロックに接続されるチューナ部には受信信号のレベルを検出する検波器と、所定値を示す基準電圧が一方の入力端に入力され、他方の入力端に検波器からの検波電圧が入力される比較回路とを設け、電源供給手段は電源にコレクタが接続され、エミッタが第１のケーブルに接続されたトランジスタで構成され、トランジスタのベースを比較回路の出力端に接続したので、受信信号のレベルが所定値以上になれば自動的に電源供給を停止できる。
【発明を実施するための最良の形態】
【００２３】
本発明のダイバーシティ受信装置に係る第１の実施形態を図１に示す。図１において、複数のアンテナブロック２０（２０ａ、２０ｂ、、）はそれぞれ対応する複数のチューナ部４０（４０ａ、４０ｂ、、）にケーブル３０（３０ａ、３０ｂ、、）、３１によって接続される。また、各チューナ部４０には合成部６０が接続される。アンテナブロック２０は、例えば、車輌のフロントガラスに取り付けられる。チューナ部４０、合成部６０、及び合成部６０の後段側に接続されるディスプレイ等は車輌本体の内部に接地される。
【００２４】
各アンテナブロック２０は、少なくともアンテナ２１（２１ａ、２１ｂ、、）と、その後段に接続された増幅器２２（２２ａ、２２ｂ、、）を有する。そして、アンテナ２１によって、ＯＦＤＭ変調されたデジタルテレビジョン信号が受信される。少なくとも１つのアンテナブロック２０ａには、アンテナ２１ａと、増幅器２２ａと、アンテナ２１ａと増幅器２２ａとの間に介挿された可変減衰器２３とが設けられ、少なくとも他の１つのアンテナブロック２０ｂには、アンテナ２１ｂと増幅器２２ｂが設けられる。各増幅器２２にはそれぞれ対応するケーブル３０から電源電圧が供給される。
【００２５】
少なくとも１つのアンテナブロック２０ａに対応するチューナ部４０ａには、チューナ４１ａと、その後段に接続されたＯＦＤＭ復調器４２ａと、ケーブル３０ａに電源電圧を重畳するための電源供給手段４３ａと、検波器４４とＡＧＣ電圧発生回路４５とが設けられる。
【００２６】
チューナ４１ａ内には、図示のように接続された可変減衰器４６、可変利得増幅器４７、周波数変換器４８が構成される。周波数変換器４８は受信信号を中間周波数信号に周波数変換してその出力をＯＦＤＭ復調器４２ａに供給する。ＯＦＤＭ復調器４２ａは復調信号とＡＧＣ電圧とを出力する。ＡＧＣ電圧は可変減衰器４６、可変利得増幅器４７に供給される。
【００２７】
検波器４６には中間周波信号が入力される。検波器４６から出力される検波電圧は受信信号のレベルを示す。ＡＧＣ電圧発生回路４７は、受信信号のレベルが所定値以上の範囲の時に電圧が変化するＡＧＣ電圧を発生する。従って、受信信号のレベルが所定値以下の範囲ではＡＧＣ電圧は一定値に保たれる。ＡＧＣ電圧はケーブル３１を介して可変減衰器２３に供給される。
【００２８】
検波器４４とＡＧＣ電圧発生回路４５との構成例を図２に示す。検波器４４は検波用ダイオード４４ａ、コンデンサ４４ｂ、可変抵抗４４ｃを有し、コンデンサ４４ｂに保持された検波電圧が可変抵抗４４ｃを介してＡＧＣ電圧発生回路４５に供給される。ＡＧＣ電圧発生回路４５はトランジスタ４５ａ、エミッタバイアス抵抗４５ｂ、コレクタ給電抵抗４５ｃ、コレクタ接地抵抗４５ｄとから構成される。そして、コレクタからＡＧＣ電圧が出力される。可変抵抗４４ｃの分圧比と、エミッタバイアス抵抗４５ｂ、コレクタ給電抵抗４５ｃ、コレクタ接地抵抗４５ｄの各抵値の設定とによって、ＡＧＣ電圧の変化スタートポイントが決定される。
【００２９】
また、電源供給手段４３ａはチョークコイルによって構成される。
【００３０】
少なくとも他の１つのアンテナブロック２０ｂに対応するチューナ部４０ｂには、チューナ４１ｂと、その後段に接続されたＯＦＤＭ復調器４２ｂと、ケーブル３０ｂに電源電圧を重畳するための電源供給手段４３ｂとは設けられる。チューナ４１ｂはチューナ４１ａと同一構成であり、ＯＦＤＭ復調器４２ｂはＯＦＤＭ復調器４２ａと同一構成であり、電源供給手段４３ｂは電源供給手段４３ａと同一構成である。
【００３１】
合成部６０は合成回路６１と誤り訂正回路６２とを有する。合成回路６１は各チューナ部４０のＯＦＤＭ復調器４２ａ、４２ｂから出力される復調信号を合成する。誤り訂正回路６２はビットエラーを訂正し、訂正されたＭＰＥＧデジタル映像信号（トランスポートストリーム）を出力する。
【００３２】
以上の構成において、１つのアンテナブロック２０ａ側の受信系統においては、検波器４４によって得られる検波電圧が、所定値の受信レベル以下を示す場合、すなわち、受信信号の電界強度が所定値よりも低いときは、ＡＧＣ電圧が一定値に保持され、アンテナ２１ａで受信された受信信号は減衰することなく増幅器２２ａに入力される。そして、増幅された受信信号はケーブル３０ａを介してチューナブ部４０ａに入力され、ＯＦＤＭ復調器４２ａから復調信号が出力される。他の１つのアンテナブロック２０ｂで受信された信号は増幅器２２ｂで増幅されてチューナ部４０ｂに入力され、ＯＦＤＭ復調器４２ｂからも復調信号が出力される。各復調信号は合成される。よって受信感度が向上する。
【００３３】
また、電界強度が所定値よりも大きいときは、ＡＧＣ電圧によって可変減衰器２３の減衰量が受信強度の値に対応して増加し、減衰された受信信号が増幅器２２ａに入力される。従って、増幅器２２ａでは歪みを発生しないのでチューナ４１ａではＣ／Ｎが悪化せず、復調段階以降での受信エラーが発生しない。また、他の１つのアンテナブロック２０ｂは電界強度の大きさの如何に関わらず常に信号を受信しているので、電界強度が弱くなってもＯＦＤＭ復調後の合成段階で同期が外れることがない。
【００３４】
図２は第２の実施形態の示す。図２においては、図１と同一構成に対して同一符号を付してその説明を省略する。
【００３５】
少なくとも１つのアンテナブロック２０ａには、アンテナ２１ａと増幅器２２ａとの間に介挿されたスイッチダイオード２４と、スイッチダイオード２４の入力側と増幅器２２ａの出力側との間に接続され、増幅器２２ａをバイパスするためのバイパス回路２５とが設けられる。バイパス回路２５はスイッチ手段であるＦＥＴ（デプレッションタイプの電界効果トランジスタ）２５ａで構成される。スイッチダイオード２４のアノードは増幅器２２ａに結合され、カソードはアンテナ２１ａに結合される。そして、スイッチダイオード２４のカソードはバイアス抵抗２６によって接地されると共に、ＦＥＴ２５ａのソースに接続される。ゲートは接地され、ドレインは増幅器２２ａの出力端に結合される。スイッチダイオード２４のアノードにはケーブル３０ａから電源電圧が供給される。
【００３６】
１つのアンテナブロック２０ａに対応するチューナ部４０ａには、検波器４４と比較器４９とトランジスタ（ＰＮＰ型）５０とが設けられる。トランジスタ５０も電源供給手段であり、そのコレクタが電源にプルアップされ、エミッタはチョークコイル４３ａに接続される。従って、トランジスタ５０がオンの時はケーブル３０ａに電源電圧が重畳され、オフのときは電源電圧の供給が停止される。
【００３７】
検波器４４はチューナ４１ａに入力される受信信号を検波する。検波電圧は比較器４９の一方の入力端に入力される。比較器４９の他方の入力端には所定値の受信信号レベルに対応する基準電圧Ｖｒｅｆが入力される。そして、比較器４９は、検波電圧が基準電圧よりも低いときはローレベルの電圧を出力し、その逆の場合はハイレベルの電圧を出力する。
【００３８】
以上の構成において、受信信号レベルが所定値以下のときは検波電圧は基準電圧以下となり、比較器４９の出力はローレベルとなってトランジスタ５０はオンとなる。従って、ケーブル３０ａに電源電圧が供給され、増幅器２２ａにはケーブル３０ａを介して電源電圧が印加される。また、このときは、スイッチダイオード２４がオンとなり、ＦＥＴ２５ａはオフとなる。従って、アンテナ２１ａで受信された受信信号は増幅器２２ａによって増幅され、ケーブル３０ａを介してチューナ４１ａに入力される。また、他の１つのアンテナブロック２０ｂは電界強度の大きさの如何に関わらず常に信号を受信しているので、ＯＦＤＭ復調後の合成段階で同期が外れることがない。受信感度も向上する。
【００３９】
また、受信信号レベルが所定値よりも大きいときは、検波器４４によって得られる検波電圧が基準電圧以上となり、比較器４９の出力はハイレベルとなってトランジスタ５０はオフとなる。従って、ケーブル３０ａへの電源供給が停止され、増幅器２２ａに電源電圧が印加されなくなると共に、スイッチダイオード２４はオフとなる。また、これによってＦＥＴ２５ａはオンとなる。従って、受信信号は増幅器２２ａには入力されず、バイパス回路２５を介して出力される。また、電源供給が停止されることで、増幅器２２ａの動作も停止する。よって、受信電界強度が大きくても増幅器によって歪みが発生せず、チューナ４１ａではＣ／Ｎが悪化せず、復調段階以降での受信エラーが発生しない。
【００４０】
また、第２の実施形態によれば、チューナ部４０ａで検出した受信信号レベルによって、アンテナブロック２０ａ側の増幅器２２ａとバイパス回路２５との切替を自動的に行うことができる。
【図面の簡単な説明】
【００４１】
【図１】本発明のダイバーシティ受信装置にかかる第１の実施形態の構成を示す回路図である。
【図２】本発明のダイバーシティ受信装置にかかる第２の実施形態の構成を示す回路図である。
【図３】本発明のダイバーシティ受信装置に使用するＡＧＣ電圧発生回路の回路図である。
【図４】従来のイバーシティ受信装置の回路図である。
【符号の説明】
【００４２】
２０：アンテナブロック
２０ａ：１つのアンテナブロック
２０ｂ：他の１つのアンテナブロック
２１：アンテナ
２２：増幅器
２２ａ：１つの増幅器
２２ｂ：他の１つの増幅器
２３：可変減衰器
２４：スイッチダイオード
２５：バイパス回路
２５ａ：ＦＥＴ（スイッチ手段）
３０、３１：ケーブル
４０：チューナ部
４１：チューナ
４２：ＯＦＤＭ復調器
４３：電源供給手段
４４：検波器
４５：ＡＧＣ電圧発生回路
４６：可変減衰器
４７：可変利得増幅器
４８：周波数変換器
４９：比較器
５０：トランジスタ（電源供給手段）
６０：合成部
６１：合成回路
６２：誤り訂正回路
【図１】
2006186711.tif 000003
【図２】
2006186711.tif 000004
【図３】
2006186711.tif 000005
【図４】
2006186711.tif 000006